(57)【要約】【課題】対物光学系の周囲を細く形成することができ、それによって先端部本体の外径を小さくして患者に与える苦痛を減少させることができる電子内視鏡の先端部を提供すること。【解決手段】挿入部の先端に配置されている先端部本体１内において、対物光学系６を保持する金属製の鏡筒７と、対物光学系６により投影された被写体像を撮像するための固体撮像素子１１を保持する金属製の撮像素子保持枠１５とが、金属製の接続枠１７を介して接続された電子内視鏡の先端部において、不要光線を遮るための遮光マスク９を電気絶縁材により形成して鏡筒７の後端部分に接着すると共に、鏡筒７と接続枠１７とが直接接触しないように遮光マスク９と接続枠１７の先端部分とを接着し、鏡筒７を、被覆することなく、先端部本体１に形成されている対物配置孔１０ｂ内に配置した。【選択図】      図１
2005143772.tif 000002
【特許請求の範囲】
【請求項１】
挿入部の先端に配置されている先端部本体内において、対物光学系を保持する金属製の鏡筒と、上記対物光学系により投影された被写体像を撮像するための固体撮像素子を保持する金属製の撮像素子保持枠とが、金属製の接続枠を介して接続された電子内視鏡の先端部において、
不要光線を遮るための遮光マスクを電気絶縁材により形成して上記鏡筒の後端部分に接着すると共に、上記鏡筒と上記接続枠とが直接接触しないように上記遮光マスクと上記接続枠の先端部分とを接着し、上記鏡筒を、被覆することなく、上記先端部本体に形成されている対物配置孔内に配置したことを特徴とする電子内視鏡の先端部。
【発明の詳細な説明】
【技術分野】
【０００１】
この発明は、挿入部の先端に固体撮像素子を内蔵する電子内視鏡の先端部に関する。
【背景技術】
【０００２】
電子内視鏡においては一般に、挿入部の先端に配置されている先端部本体内において、鏡筒内に保持された対物光学系による被写体の投影位置に固体撮像素子の撮像面が配置されていて、固体撮像素子を保持する撮像素子保持枠と鏡筒とが接続枠を介して接続されている。
【０００３】
そのような電子内視鏡の先端部において、鏡筒は極めて高精度に形成する必要があり撮像素子保持枠はシールド筒も兼ねるので、共に金属製にする必要がある。また、接続枠（後述する「接続枠１７」）は、接着の後の乾燥工程の際に不規則な収縮変形等が発生するのを避けるために金属製にする必要がある。
【０００４】
したがって、鏡筒と撮像素子保持枠とが接続枠を介して電気的に導通する可能性が大きいので、電気安全性の上から、撮像素子保持枠だけでなく鏡筒も先端部本体に対して電気絶縁した構造にする必要がある。
【０００５】
そこで従来は、金属製の鏡筒の外周を包むように電気絶縁性の外套管を配置していた（例えば、特許文献１）。
【特許文献１】特開２００３−１６９２１６、図１
【発明の開示】
【発明が解決しようとする課題】
【０００６】
図３は、上述のような従来の構成を採った電子内視鏡の先端部を示しており、対物光学系６を保持する金属製の鏡筒７の外周を囲むように電気絶縁性の材料からなる絶縁筒２０が被嵌されている。９は、不要光線を遮るための遮光マスク、１５は、固体撮像素子１１を保持する撮像素子保持枠、１７は、撮像素子保持枠１５と鏡筒７とを接続する接続枠である。
【０００７】
このように従来の電子内視鏡の先端部においては、電気絶縁性の絶縁筒２０が鏡筒７に被嵌されていることにより、対物光学系６の周囲が太くなってしまうので、その部分に隣り合って配置される照明窓３の配光レンズ５や先端部本体１の外縁部等をその分だけ対物光学系６の光軸位置から遠い位置に配置せざるを得ず、それによって先端部本体１の外径が大きくなって患者に与える苦痛を増大させていた。
【０００８】
そこで本発明は、対物光学系の周囲を細く形成することができ、それによって先端部本体の外径を小さくして患者に与える苦痛を減少させることができる電子内視鏡の先端部を提供することを目的とする。
【課題を解決するための手段】
【０００９】
上記の目的を達成するため、本発明の電子内視鏡の先端部は、挿入部の先端に配置されている先端部本体内において、対物光学系を保持する金属製の鏡筒と、対物光学系により投影された被写体像を撮像するための固体撮像素子を保持する金属製の撮像素子保持枠とが、金属製の接続枠を介して接続された電子内視鏡の先端部において、不要光線を遮るための遮光マスクを電気絶縁材により形成して鏡筒の後端部分に接着すると共に、鏡筒と接続枠とが直接接触しないように遮光マスクと接続枠の先端部分とを接着し、鏡筒を、被覆することなく、先端部本体に形成されている対物配置孔内に配置したものである。
【発明の効果】
【００１０】
本発明によれば、遮光マスクを電気絶縁材により形成して鏡筒の後端部分に接着すると共に、鏡筒と接続枠とが直接接触しないように遮光マスクと接続枠の先端部分とを接着し、鏡筒を、被覆することなく、先端部本体に形成されている対物配置孔内に配置したので、電気安全性を確保する構造を採りながら対物光学系の周囲を細く形成することができ、それによって先端部本体の外径を小さくして患者に与える苦痛を減少させることができる。
【発明を実施するための最良の形態】
【００１１】
遮光マスクを電気絶縁材により形成して鏡筒の後端部分に接着すると共に、鏡筒と接続枠とが直接接触しないように遮光マスクと接続枠の先端部分とを接着し、鏡筒を、被覆することなく、先端部本体に形成されている対物配置孔内に配置した。
【実施例】
【００１２】
図面を参照して本発明の実施例を説明する。
図１において、１は、内視鏡の挿入部の最先端部に配置された先端部本体であり、例えばステンレス鋼等のような導電性の金属によって形成されて、その先端面には、観察窓２と照明窓３が並んで配置されている。
【００１３】
照明窓３には凹レンズからなる配光レンズ５が嵌め込まれて接合固着されていて、その後方において先端部本体１に軸線と平行方向に貫通形成された孔にライトガイドファイバ４の射出端部が挿通固定されている。配光レンズ５は、ライトガイドファイバ４から射出された照明光の配光角を有効に広げるために、ライトガイドファイバ４の外径より大きな径に形成されている。
【００１４】
観察窓２の後方において先端部本体１に軸線と平行方向に貫通形成された対物配置孔１０ｂ内には、複数のレンズからなるライトガイドファイバ４が金属製の円筒状の鏡筒７内に保持されて配置されており、対物光学系６の光軸は先端部本体１の軸線と平行である。
【００１５】
８は、鏡筒７内の前方寄りの位置に配置された金属薄板製の明るさ絞り、９は、不要光線を遮るために鏡筒７の後端部分に配置された電気絶縁性のプラスチック材からなる遮光マスクである。
【００１６】
その後方位置には、対物光学系６による前方の（図１において左方の）被写体の投影位置に撮像面が位置するように固体撮像素子１１が配置されていて、その後方に電子部品１２が連なって配置され、固体撮像素子１１の撮像面にはカバーガラス１３が接合されて、その前面にＹＡＧカットフィルタ１４が接合されている。
【００１７】
そのような固体撮像素子１１は、シールド筒を兼ねる金属製円筒状の撮像素子保持枠１５内に固着されていて、固体撮像素子１１と電子部品１２の外周部及び撮像素子保持枠１５の外周部には各々電気絶縁性のテープが巻き付けられている。１８は後方に延出する信号ケーブルであり、そのアース線１８ａは撮像素子保持枠１５に接続されている。
【００１８】
撮像素子保持枠１５の前端部には金属製の接続枠１７が固着され、その接続枠１７が、鏡筒７と直接接触しない状態で遮光マスク９と接合され、それによって、対物光学系６を保持する鏡筒７と固体撮像素子１１を保持する撮像素子保持枠１５とが一体的に連結接続された状態になっている。
【００１９】
遮光マスク９は、図２に単体で図示されるように、鏡筒７と接続枠１７とに対して接着するために厚みを例えば０．５ｍｍ程度確保した円盤状に形成されていて、内側部分には固体撮像素子１１の撮像面に入射する光線だけを通過させる形状寸法の光線通過孔９ａが穿設され、外周面の一か所には組み立て時に回転方向の位置決めをするための位置決め溝９ｂが形成されている。
【００２０】
そして、図１に示されるように、遮光マスク９の先側半部は、外周面が鏡筒７の後端部分に嵌め込まれて先端面を鏡筒７の当てつけ面にピッタリと当接させてそれらの部分で電気絶縁性の接着剤により接着されている。
【００２１】
また、遮光マスク９の後側半部は、接続枠１７に対して芯出し調整ができるように外周面が接続枠１７の先端部分に隙間をあけて緩く嵌め込まれて後端面を接続枠１７の当てつけ面にピッタリと当接させてそれらの部分で電気絶縁性の接着剤により接着されている。
【００２２】
そのようにして、撮像素子保持枠１５の先端に固着された接続枠１７と、対物光学系６を保持する鏡筒７とが、直接接触しない状態で遮光マスク９を介して一体的に連結され、絶縁テープ１６が被覆された撮像素子保持枠１５が先端部本体１に軸線と平行方向に穿設されている撮像素子配置孔１０ａ内に固定され、鏡筒７は、撮像素子配置孔１０ａに連続してその前方に形成されている対物配置孔１０ｂ内に緩く差し込まれて、その隙間部分に電気絶縁性の接着剤１９が充填されている。
【００２３】
このように、電気絶縁性の部材が何ら被覆されていない金属製の鏡筒７が対物配置孔１０ｂ内に直接配置されているので、鏡筒７の外周面が先端部本体１に接触する可能性もあるが、鏡筒７と接続枠１７との間が遮光マスク９によって電気絶縁されていて、鏡筒７と撮像素子保持枠１５とが導通していないので、電気安全性は確保されている。
【００２４】
そして、鏡筒７が何らの被覆部材なしに対物配置孔１０ｂに直接配置されているので、対物配置孔１０ｂの径を小さく形成することができ、その結果、先端部本体１の外径を小さく形成して、内視鏡検査を受ける患者に与える苦痛を減少させることができる。
【図面の簡単な説明】
【００２５】
【図１】本発明の実施例の電子内視鏡の先端部の側面断面図である。
【図２】本発明の実施例の遮光マスクを単体で示す斜視図である。
【図３】従来の電子内視鏡の先端部の側面断面図である。
【符号の説明】
【００２６】
１  先端部本体
６  対物光学系
７  鏡筒
９  遮光マスク
１０ｂ  対物配置孔
１１  固体撮像素子
１５  撮像素子保持枠
１７  接続枠
【図１】
2005143772.tif 000003
【図２】
2005143772.tif 000004
【図３】
2005143772.tif 000005